(57)【特許請求の範囲】
【請求項１】
物体側から正の第１群、負の第２群、負の第３群、正の第４群、正の第５群を配し、第２群と第３群の間に絞りを有し、原稿画像の縮小像を撮像素子の撮像面上に結像する読取レンズであって、  
第１群は正の第１レンズにより構成され、  
第２群は、正の第２レンズの像側に負の第３レンズを接合して構成され、  
第３群は、負の第４レンズにより構成され、  
第４群は、正の第５レンズにより構成され、  
第５群は、正の第６レンズの像側に負の第７レンズを接合して構成される５群７枚構成であり、  
第２レンズおよび第６レンズのガラス材料の、ｄ線に対する屈折率：ｎｄ、アッベ数：νｄが、条件：
（１） １．４８ ＜ ｎｄ ＜ １．６３   
（２） ６２．０ ＜ νｄ ＜ ８３．０   
を満足し、ｅ線に対する全系の焦点距離：ｆ、第５群のｅ線に対する焦点距離：ｆ５が、条件：  
（３） １．５ ＜ ｆ５／ｆ ＜ ６．０   
を満足することを特徴とする読取レンズ。
【請求項２】
請求項１記載の読取レンズにおいて、  
第２レンズが、全系中において最も大きい正の焦点距離を有し、第２レンズのガラス材料の屈折率温度係数：β１（×１０−６／℃）が、条件：  
（４） −６．５ ＜ β１ ＜ −３．０   
を満足することを特徴とする読取レンズ。  
【請求項３】
請求項１または２記載の読取レンズにおいて、  
第１レンズは、物体側に凸面を向けた凸メニスカスレンズ、  
第２レンズは、第１面が物体側に凸である正レンズ、   
第３レンズは、第２面が物体側に凸である負レンズ、   
第４レンズは、物体側に凹面を向けた凹メニスカスレンズ、   
第５レンズは、像側に凸面を向けた凸メニスカスレンズ、   
第６レンズは、像側に凸面を向けた凸メニスカスレンズ、   
第７レンズは、物体側に凹面を向けて配置された凹メニスカスレンズ、であることを特徴とする読取レンズ。
【請求項４】
原稿を照明する照明系と、
この照明系で照明された原稿の反射光を縮小結像させる結像レンズと、  
この結像レンズで結像された原稿像を光電変換する撮像素子であるラインセンサを有する画像読取装置であって、結像レンズとして請求項１〜３の任意の１に記載の読取レンズを用いたことを特徴とする画像読取装置。
【請求項５】
請求項４記載の画像読取装置において、  
結像レンズとラインセンサとが、共通のホルダにより所定の位置関係で保持され、
結像レンズが請求項２記載の読取レンズであることを特徴とする画像読取装置。
【請求項６】
請求項４または５記載の画像読取装置において、
照明系がＬＥＤ照明であることを特徴とする画像読取装置。
【請求項７】
請求項４〜６の何れか１項に記載の画像読取装置を用いた画像形成装置。
【発明の詳細な説明】
【技術分野】
【０００１】
この発明は読取レンズおよび画像読取装置および画像形成装置に関する。
【背景技術】
【０００２】
ファクシミリやデジタル複写機等に用いられる画像読取装置は、読み取るべき画像情報を読取レンズで縮小して「ＣＣＤのような固体撮像素子」上に結像させて画像情報を信号化する。  
画像読取りの対象となる画像情報は一般にカラー画像であり、例えば、赤・緑・青の３原色に色分解して読取られる。色分解された各原色画像を良好に読取りうるためには、読取レンズの色収差が良好に補正されている必要がある。
【０００３】
また、昨今強く要請される「高速の画像読取り」を実現するには、読取レンズは出来る限り大口径で明るいことが好ましい。
また、画像読取装置の小型化に資するためには、広画角の読取レンズが好ましい。
【０００４】
勿論、これらの条件のほかに「像面において高空間周波数領域での高いコントラスト」を有することや、開口効率が画角周辺部まで１００％近くあることや、高空間周波数領域でも高いＭＴＦを実現できることも必要である。
【０００５】
この発明の読取レンズは「５群７枚構成であり、絞りを挟んだ前側３枚、後側２枚のクセノタタイプに正の接合レンズを組み合わせた、クセノタタイプの変化形」である。
同じく、「５群７枚構成の読取レンズ」でＦＮｏ：４．０を達成したものとして、特許文献１記載のものが知られている。
【０００６】
特許文献１記載の読取レンズは、半画角：１７度程度であり、これを用いる画像読取装置の小型化の面ではなお、改良の余地がある。
【０００７】
また、従来から提案されている読取レンズは、画像読取装置に用いられたときの「環境温度変化」に対する対策については開示されていない。
【０００８】
良く知られたように、ガラスレンズは、その光学特性が温度変化に影響され難い点で優れているとされる。しかし、温度変化に対して光学特性が全く変化しないと言うわけではない。
【０００９】
ガラスレンズに用いられるガラス材料は、温度上昇と共に「屈折率が微増」するものが一般的である。５群７枚構成の読取レンズは、複数の正レンズと複数の負レンズで構成されるが、温度上昇と共に、ガラスレンズの屈折率が微増する場合、正レンズの正のパワーが増大し、負レンズの負のパワーも増大する。
【００１０】
従って、温度上昇が生じたとき、正レンズの正のパワーの増大に対し、負レンズの負のパワーの増大がバランスする方向に作用し、読取レンズ全体としては「温度変化の影響」は実質的に小さい。
【００１１】
しかしながら、画像読取装置というシステムで考えたとき、以下の如き問題がある。
【００１２】
即ち、画像読取装置では、読取レンズによる原稿画像の結像面の位置と、撮像素子であるラインセンサ受光面（以下、「撮像面」とも言う。）位置が高精度に合致していなければならない。
【００１３】
このため、画像形成装置を構成するに際しては、読取レンズとラインセンサとを共通のホルダに設け、ホルダ上で両者の位置関係を調整して、両者をホルダに固定し、しかるのちに、ホルダを装置本体に取り付けることが一般に行なわれる。
【００１４】
ホルダとしては、比較的低コストで加工も容易なアルミニウムやステンレス、あるいは樹脂材料で形成されることが多い。
【００１５】
読取レンズとラインセンサを共通のホルダにより保持する場合、温度変化によりホルダが膨張・収縮し、読取レンズとラインセンサの間隔が変化すると、読取レンズの結像面とラインセンサ受光面との間にずれが発生することが考えられる。
【００１６】
画像形成装置に用いられる画像読取装置では、一般に、光源と読取レンズとラインセンサが一体として閉じたケーシング内に配置されるが、光源で発生する熱やラインセンサ自身の発熱、その他のモジュールからの熱の移動もあり、ケーシング内での温度変動が＋２０℃〜＋４０℃と大きい。
【００１７】
上記のように、温度上昇と共に「屈折率が微増」する通常のガラスレンズのみで、読取レンズを構成した場合には、ホルダの伸縮による受光面の変動量が、温度上昇に伴う結像面の変動量を凌駕してしまうことが考えられる。
【００１８】
なお、読取レンズ中に樹脂レンズを含めた場合、樹脂レンズでは温度変化に伴いその屈折力が大きく変化するため、結像面の移動量が受光面の変動量を大きく凌駕してしまう。
【００１９】
ホルダの構造や形状の調整により、ホルダが温度変化の影響を受けても、読取レンズとラインセンサの間隔の変動を十分に抑えることは可能であるが、ホルダが大型化して画像読取装置の大型化やコスト高を招来することが考えられる。
【発明の概要】
【発明が解決しようとする課題】
【００２０】
この発明は、上述した事情に鑑みてなされたものであり、ＦＮｏ：４．２程度と明るく、半画角：２３度程度と広画角で、性能良好な読取レンズの実現を可能とすることを第１の課題とする。
【００２１】
この発明はまた、画像読取装置に用いられたときの「環境温度変化」に対して対処可能な読取レンズの実現を可能とすることを第２の課題とする。
【００２２】
そして、これら読取レンズを用いる画像読取装置、画像形成装置の実現を第３の課題とする。
【課題を解決するための手段】
【００２３】
請求項１記載の読取レンズは「物体側から正の第１群、負の第２群、負の第３群、正の第４群、正の第５群を配し、第２群と第３群の間に絞りを有し、原稿画像の縮小像を撮像素子の撮像面上に結像する読取レンズ」であって、上記正・負・負・正・正の各群が以下の如きレンズ構成である。  
図１に請求項１の読取レンズのレンズ構成を概念的に示す。
【００２４】
図１の左側は物体側、即ち、原稿側であり、符号ＯＧはコンタクトガラス、符号Ｌ１は第１レンズ、符号Ｌ２は第２レンズ、符号Ｌ３は第３レンズ、符号Ｓは絞り、符号Ｌ４は第４レンズ、符号Ｌ５は第５レンズ、符号Ｌ６は第６レンズ、符号Ｌ７は第７レンズを示す。
【００２５】
図１の右側は像側、即ち、ラインセンサ側であり、符号Ｆは「透明平行平板」を示している。透明平行平板Ｆは、各種フィルタやラインセンサのカバーガラスを、これらに等価な１枚の透明板として表したものである。
【００２６】
図示の都合で、コンタクトガラスＯＧは第１レンズＬ１に、また、透明平行平板Ｆは第７レンズＬ７に密接して描いている。
【００２７】
第１群は、正の第１レンズＬ１により構成される。
第２群は、正の第２レンズＬ２の像側に負の第３レンズＬ３を接合して構成される。
第３群は、負の第４レンズＬ４により構成される。
第４群は、正の第５レンズＬ５により構成される。  
第５群は、正の第６レンズＬ６の像側に負の第７レンズＬ７を接合して構成される。
従って、全系は「５群７枚構成」である。
【００２８】
第２レンズおよび第６レンズのガラス材料の、ｄ線に対する屈折率：ｎｄ、アッベ数：νｄが、条件：
（１）      １．４８  ＜  ｎｄ  ＜  １．６３  
（２）      ６２．０  ＜  νｄ  ＜  ８３．０  
を満足し、ｅ線に対する全系の焦点距離：ｆ、第５群のｅ線に対する焦点距離：ｆ５が、条件：
（３）  １．５    ＜  ｆ５／ｆ    ＜  ６．０  
を満足する。
【００２９】
請求項１記載の読取レンズは、第２群における正の第２レンズが「全系中において最も大きい正の焦点距離」を有し、第２レンズのガラス材料の屈折率温度係数：β１（×１０−６／℃）が、条件：
（４）  −６．５    ＜  β１  ＜  −３．０  
を満足することが好ましい（請求項２）。
【００３０】
請求項１または２記載の読取レンズにおける各レンズは、以下の如くであることが好ましい。
【００３１】
即ち、第１レンズは「物体側に凸面を向けた凸メニスカスレンズ」、第２レンズは「第１面が物体側に凸である正レンズ」、第３レンズは「第２面が物体側に凸である負レンズ」、第４レンズは「物体側に凹面を向けた凹メニスカスレンズ」、第５レンズは「像側に凸面を向けた凸メニスカスレンズ」、第６レンズは「像側に凸面を向けた凸メニスカスレンズ」、第７レンズは「物体側に凹面を向けて配置された凹メニスカスレンズ」であることが好ましい（請求項３）。
【００３２】
請求項１〜３の何れか１項に記載の読取レンズは、第１レンズ〜第７レンズが全て「鉛、砒素などの有害物質を含有していないガラス材料によるガラスレンズ」であることが好ましい。
【００３３】
請求項４記載の画像読取装置は、照明系と、結像レンズと、ラインセンサを有する。
【００３４】
「照明系」は、原稿を照明する。  
「結像レンズ」は、照明系で照明された原稿の反射光を縮小結像させる。  
「ラインセンサ」は、結像レンズで結像された原稿像を光電変換する撮像素子である。
【００３５】
そして、結像レンズとして、上記請求項１〜３の何れか１項に記載の読取レンズが用いられる。
【００３６】
請求項４記載の画像読取装置は「結像レンズとラインセンサとが、共通のホルダにより所定の位置関係で保持され、結像レンズが請求項２記載の読取レンズであることができる（請求項５）。
【００３７】
請求項４または５記載の画像読取装置の照明系は「ＬＥＤ照明」であることが好ましい（請求項６）。
【００３８】
請求項７記載の画像形成装置は「請求項４〜６の何れか１項に記載の画像読取装置」を用いたものである。
【００３９】
請求項１における条件（１）、（２）を同時に満足するガラス材料としては、例えばＳＰＨＭ５２（ＯＨＡＲＡ製）やＳＦＰＬ５１（ＯＨＡＲＡ製）があるが、いずれも低屈折率、低分散のガラスである。これらのガラスを「正レンズと負レンズの貼り合わせで構成される第２群と第５群における正の第２レンズと正の第６レンズに用いる」ことで色収差を良好に補正することが可能である。
【００４０】
条件（３）は、第５群の「全系のパワーに相対的な正のパワー」を定めるもので、上限を超えると第５群の正のパワーが弱くなりすぎ、レンズ全長が大きくなってコストアップの原因となる。条件（３）下限を超えると、読取レンズのコンパクト化には有利であるが、第５群の正のパワーが強くなりすぎ、高次の像面湾曲を発生させやすい。
【００４１】
請求項１における条件（１）、（２）を満足するガラス材料として上に例示したＳＰＨＭ５２（ＯＨＡＲＡ製）やＳＦＰＬ５１（ＯＨＡＲＡ製）は、何れも、条件（４）を満足する。これら、条件（４）を満足するガラス材料を「全系中において最も大きい正の焦点距離を持つ第２レンズ」に用いる意義を説明する。
【００４２】
前述した如く、一般に、画像読取装置においては、読取レンズとラインセンサとはユニットとして一体化され、読取レンズとラインセンサとを保持する金属製や樹脂製のホルダが温度上昇により膨張するので、温度上昇と共に、読取レンズが原稿像を結像すべき「ラインセンサ受光面」が、読取レンズから離れる傾向にある。
【００４３】
第２レンズは正レンズであるので、これを構成するガラス材料の屈折率が「温度上昇に伴って小さくなる」と、正レンズとして屈折力が減少し、その影響は、読取レンズの結像面を「読取レンズから遠ざける」ように作用する。
【００４４】
「全系中において最も大きい正の焦点距離を持つ第２レンズ」に、条件（４）を満足するガラス材料を用いることにより、第２レンズの「正の屈折力の減少」による結像面位置の変位により、ラインセンサ受光面の変位の一部を相殺できる。
【００４５】
条件（４）の上限を超えると、第２レンズにおける「温度上昇に伴う屈折力の減少の程度」が小さくて、像距離を大きく伸ばす効果を期待できない。
【００４６】
条件（４）の下限を超えると、像距離を大きく伸ばすことはできるが、選択できるガラス材料が極端に減ってしまう。  
即ち、第２レンズに条件（４）を満足するガラス材料を用いることにより、温度変化による「読取るべき原稿の像と撮像面との乖離」を有効に軽減できる。    
また、第１〜第７レンズの各々を請求項３のようにすると、絞りの前後における隣接群間で、互いに隣り合うレンズ面の凹凸の向きが揃うので、読取レンズを高精度で組みつけてコンパクトに構成できる。
【００４７】
また、７枚のレンズを全て「鉛、砒素などの有害物質を含有しないガラス材料」で構成することにより、材料のリサイクル化が可能で、加工時の廃液による水質汚染が無く、省資源化や加工時に発生するＣＯ２等を低減でき、地球環境に配慮した読取レンズとすることができる。
【００４８】
請求項６のように、画像読取装置の照明系を「ＬＥＤ照明」とすることにより、キセノンランプやハロゲンランプを用いる場合よりも省エネ化が可能である。
【発明の効果】
【００４９】
以上に説明したように、この発明によれば新規な読取レンズを実現できる。
【００５０】
この発明の読取レンズは後述の実施例に示すような良好な結像性能を実現できる。  
また、請求項２記載の読取レンズを結像レンズとして用いる画像読取装置は、温度変動によりラインセンサ受光面が変位しても、読取レンズの結像位置が上記変位に追従するので、温度変動にかかわらず原稿の良好な読取りが可能である。
【００５１】
後述する各実施例の読取レンズは「半画角が２３度以上と広画角」であるため、原稿面からラインセンサまでの共役長を短く設定でき、画像読取装置をコンパクト・低コストに実現できる。
【００５２】
また、このような画像読取装置を用いた画像形成装置は、原稿の良好な読取りにより高品質の画像を形成可能である。
【図面の簡単な説明】
【００５３】
【図１】読取レンズのレンズ構成を概念的に示す図である。
【図２】実施例１のレンズ構成を示す図である。
【図３】実施例１の収差図である。
【図４】実施例２のレンズ構成を示す図である。
【図５】実施例２の収差図である。
【図６】実施例３のレンズ構成を示す図である。
【図７】実施例３の収差図である。
【図８】画像読取装置の実施の１形態を説明するための図である。
【図９】画像形成装置の実施の１形態を説明するための図である。
【発明を実施するための形態】
【００５４】
以下、実施の形態を説明する。  
図２、図４、図６に読取レンズの実施の形態を３例示す。これらの実施の形態は具体的には後述する実施例１〜３に対応する。繁雑を避けるため、これらの図において符号を共通化し、図１に示した符号を用いる。
【００５５】
図２、図４、図６に実施の形態を示す読取レンズは、物体側（図の左方）から正の第１群、負の第２群、負の第３群、正の第４群、正の第５群を配し、第２群と第３群の間に絞りＳを有し、原稿画像の縮小像を撮像素子の撮像面上に結像する読取レンズであって、第１群は正の第１レンズＬ１により構成され、第２群は「正の第２レンズＬ２の像側に負の第３レンズＬ３を接合」して構成され、第３群は「負の第４レンズＬ４」により構成され、第４群は「正の第５レンズ」により構成され、第５群は「正の第６レンズＬ６の像側に負の第７レンズＬ７を接合」して構成される５群７枚構成である。
【００５６】
これらの実施の形態に対応する後述の実施例１〜３に示すように、これら読取レンズは条件（１）〜（４）を満足し、第１〜第７レンズＬ１〜Ｌ７は、何れも、有害物質である「鉛や砒素」を含有していないガラス材料によるガラスレンズである。
【００５７】
図８を参照して「画像読取装置」の実施の１形態を説明する。  
図８において、読取られるべき画像を有する原稿１１２は「原稿台」としてのコンタクトガラス１１１上に平面的に定置され、コンタクトガラス１１１の下部に「ＸｅランプやＬＥＤ光源等を用いた照明手段」として照明ユニット１１３Ａを配置し、「図面に直交する方向に長いスリット状部分」を照明する。  
原稿１１２の「照明された部分」からの反射光（画像による反射光）は、第１走行体１１３に設けられた第１ミラー１１３Ｂにより反射された後、第２走行体１１４に設けられた第２ミラー１１４Ａ、第３ミラー１１４Ｂにより順次反射され、結像レンズ１１５を透過し、光電変換素子としてのラインセンサ１１６の撮像面上に原稿画像の縮小像として結像する。結像レンズ１１５は「読取レンズ」である。
【００５８】
読取レンズである結像レンズ１１５とラインセンサ１１６とはホルダＨＯＬにより「相対的な位置関係を調整されて保持」され、ユニット化されている。
【００５９】
第１〜第３ミラー１１３Ｂ、１１４Ａ、１１４Ｂは「反射光学系」を構成する。第１走行体１１３、第２走行体１１４は、図示されない駆動手段により、それぞれ矢印方向（図の右方）へ走行させられる。第１走行体１１３の走行速度は「Ｖ」、第２走行体１１４の走行速度は「Ｖ／２」である。この走行により、第１走行体１１３、第２走行体１１４は、それぞれ「破線で示す位置」まで変位する。  
照明ユニット１１３Ａと、第１ミラー１１３Bは、第１走行体１１３と一体的に移動し、コンタクトガラス１上の原稿１１２の全体を「照明走査」する。第１、第２走行体の移動速度比は「Ｖ：Ｖ／２」であるので、「照明走査される原稿部分から読取レンズ１１５に至る光路長」は不変に保たれる。
【００６０】
コンタクトガラス１１１、照明ユニット１１３Ａ、上記反射光学系および駆動手段は、
「照明系」を構成する。
【００６１】
「撮像部」であるラインセンサ１１６は、「色分解手段として、赤（Ｒ）、緑（Ｇ）、青（Ｂ）のフィルタを持った光電変換素子（１１６Ａ、１１６Ｂ、１１６Ｃ）を、１チップに３列に配列させた３ラインＣＣＤ（３ラインのラインセンサ）」であり、原稿１１２の照明走査に伴い、原稿画像を画像信号化する。このようにして原稿１１２の読取りが実行され、原稿１１２のカラー画像は、赤、緑、青の３原色に色分解して読取られる。
【００６２】
また、この実施の形態の画像読取装置は、画像をフルカラーで読取る装置であって、画像読取レンズ１１５の結像光路中に設けられた「色分解手段（前記３ラインＣＣＤに設けられた赤、緑、青のフィルタ）」を有する。
【００６３】
なお、画像読取装置の他の形態として、「コンタクトガラス上の原稿をスリット状に照明する照明手段と、ラインセンサと、原稿の被照明部からラインセンサに至る結像光路を形成する複数のミラーと、上記結像光路上に配置される読取レンズと」を相互に一体化した読取ユニットを、駆動手段により原稿に相対的に走行させることにより原稿を読取走査するようにした形態のものとすることもできる。
【００６４】
「色分解」は、上記とは別に、画像読取レンズとラインセンサ（ＣＣＤ）との間に色分解プリズムやフィルタを選択的に挿入し、Ｒ（赤）、Ｇ（緑）、Ｂ（青）に色分解する方法や「Ｒ、Ｇ、Ｂの光源を順次点灯させ原稿を照明する方法」を用いることができる。
【００６５】
このような画像読取装置において、結像レンズ１１５とラインセンサ１１６を保持するホルダＨＯＬの熱膨張により、結像レンズとラインセンサの間隔がどの程度変化するかを、簡単化した例で、概算してみる。
【００６６】
読取る最大サイズとして、３００ｍｍ（Ａ列４版の長手方向の読取が可能である）とし、これをラインセンサの読み取り範囲：８０ｍｍで読取る場合を想定してみる。この場合だと、読取レンズの結像倍率は約１／４となる。
【００６７】
説明の簡単のために、読取レンズの半画角を２０度とし、読取レンズを薄いレンズとみなして計算すると、読取レンズとラインセンサの間隔をＸとして、
Ｘ・ｔａｎ２０（度）＝４０（ｍｍ）
から、間隔：Ｘは、  
Ｘ＝４０／ｔａｎ２０＝４０／０．３６≒１１０（ｍｍ）
となる。
【００６８】
即ち、上記の場合、読取レンズとラインセンサの間隔は略１１０ｍｍと考えられる。
【００６９】
一方、読取レンズとラインセンサを保持するホルダＨＯＬがアルミニウムで形成され、温度変化による伸縮量が、上記ラインセンサと読取レンズの間隔変化に等しくなると考えると、２０℃におけるアルミニウムの熱膨張率は「２３．１×１０−６」であるので、画像読取装置内の温度が２０℃（設計温度とする）から４０℃に上昇したとすると、上記間隔の伸び量は、２０×２３．１×１０−６×１１０＝０．０５１ｍｍとなる。
【００７０】
結像レンズの縦倍率は、横倍率の２乗であるから、縮小の縦倍率は１／１６となり、ラインセンサと読取レンズの間隔が、０．０５１ｍｍずれたとすると、この「ずれ」は、原稿面の位置ずれとしては略０．８２ｍｍとなる。
【００７１】
原稿面でこれだけのズレがあると、ラインセンサ上の像には「ピンぼけ」が生じ得る。
【００７２】
読取りに必要な解像度が低い場合には、さほど問題とならないにしても、例えば６００ｄｐｉというような高密度での読取りを行なう場合には、無視できない。
【００７３】
従って、このような場合、画像読取装置内の温度上昇に応じて、読取レンズの結像面位置を、ラインセンサ受光面に向けて近づける必要が生じるのである。
【００７４】
図９は、画像形成装置の実施の１形態を示す図である。  
画像形成装置は、装置上部に位置する画像読取装置２００と、その下位に位置する「画像形成部」とを有する。画像読取装置２００の部分は、図８に即して説明したのと同様のものであり、各部には図８と同じ符号を付してある。なお、図８においては、画像読取装置２００におけるホルダは図示を省略されている。
【００７５】
画像読取装置２００の３ラインのラインセンサ（撮像手段）１１６から出力される画像信号は画像処理部１２００に送られ、画像処理部１２００において処理されて「書込み用の信号（イエロー・マゼンタ・シアン・黒の各色を書込むための信号）」に変換される。
【００７６】
画像形成部は、「潜像担持体」として円筒状に形成された光導電性の感光体１１００を有し、その周囲に、帯電手段としての帯電ローラ１１１０、リボルバ式の現像装置１１３０、転写ベルト１１４０、クリーニング装置１１５０が配設されている。帯電手段としては帯電ローラ１１１０に代えて「コロナチャージャ」を用いることもできる。
【００７７】
信号処理部１２００から書込み用の信号を受けて光走査により感光体１１００に書込みを行う光走査装置１１７０は、帯電ローラ１１１０と現像装置１１３０との間において感光体１１００の光走査を行うようになっている。
【００７８】
符号１１６０は定着装置、符号１１８０はカセット、符号１１９０はレジストローラ対、符号１２２０は給紙コロ、符号１２１０はトレイ、符号Ｓは「記録媒体」としての転写紙を示している。
【００７９】
画像形成を行うときは、光導電性の感光体１１００が時計回りに等速回転され、その表面が帯電ローラ１１１０により均一帯電され、光走査装置１１７０のレーザビームの光書込による露光を受けて静電潜像が形成される。形成された静電潜像は所謂「ネガ潜像」であって画像部が露光されている。
【００８０】
「画像の書込み」は、感光体１１００の回転に従い、イエロー画像、マゼンタ画像、シアン画像、黒画像の順に行われ、形成された静電潜像はリボルバ式の現像装置１１３０の各現像ユニットＹ（イエロートナーによる現像を行う）、Ｍ（マゼンタトナーによる現像を行う）、Ｃ（シアントナーによる現像を行う）、Ｋ（黒トナーによる現像を行う）により順次反転現像されてポジ画像として可視化され、得られた各色トナー画像は、転写ベルト１１４０上に、転写電圧印加ローラ１１４Ａにより順次転写され、上記各色トナー画像が転写ベルト１１４０上で重ね合わせられてカラー画像となる。
【００８１】
転写紙ＳＴを収納したカセット１１８０は、画像形成装置本体に脱着可能であり、図のごとく装着された状態において、収納された転写紙Ｓの最上位の１枚が給紙コロ１２２０により給紙され、給紙された転写紙Ｓはその先端部をレジストローラ対１１９０に捕えられる。
【００８２】
レジストローラ対１１９０は、転写ベルト１１４０上の「トナーによるカラー画像」が転写位置へ移動するのにタイミングを合わせて転写紙Ｓを転写部へ送り込む。送り込まれた転写紙Ｓは、転写部においてカラー画像と重ね合わせられ、転写ローラ１１４Ｂの作用によりカラー画像を静電転写される。転写ローラ１１４Ｂは、転写時に転写紙ＳＴをカラー画像に押圧させる。
【００８３】
カラー画像を転写された転写紙ＳＴは定着装置１１６０へ送られ、定着装置１１６０においてカラー画像を定着され、図示されないガイド手段による搬送路を通り、図示されない排紙ローラ対によりトレイ１２１０上に排出される。各色トナー画像が転写されるたびに、感光体１１００の表面はクリーニング装置１１５０によりクリーニングされ、残留トナーや紙粉等が除去される。
【００８４】
図９、図１０に示した実施の形態における読取レンズ１１５としては、この発明の読取レンズ、具体的には、例えば、以下にあげる実施例１〜３の読取レンズの何れかを用いることができる。
【実施例】
【００８５】
以下、読取レンズの実施例を７例挙げる。各実施例における記号の意味は下記の通りである。
【００８６】
ｆ                  ：全系のｅ線の合成焦点距離  
ＦＮｏ              ：Ｆナンバ  
ｍ                  ：縮率  
ω                  ：半画角  
Ｙ                  ：物体高  
以下に示す記号は図１に示されている。
【００８７】
ｒｉ（ｉ=１〜１３）  ：物体側から数えてｉ番目の面（絞りの面を含む。）の曲率半径  
ｄｉ（ｉ=１〜１２）  ：物体側から数えてｉ番目の面間隔  
ｎｊ（ｊ=１〜７）    ：物体側から数えてｊ番目のレンズの材料の屈折率  
νｊ（ｊ=１〜７）    ：物体側から数えてｊ番目のレンズの材料のアッベ数  
ｒｃ１              ：コンタクトガラスの物体側の曲率半径  
ｒｃ２              ：コンタクトガラスの像側の曲率半径  
ｒｃ３              ：ＣＣＤカバーガラスの物体側の曲率半径  
ｒｃ４              ：ＣＣＤカバーガラスの像側の曲率半径  
ｄｃ１              ：コンタクトガラスの肉厚  
ｄｃ３              ：ＣＣＤカバーガラスの肉厚  
ｎｃ１              ：コンタクトガラスの屈折率  
ｎｃ３              ：ＣＣＤカバーガラスの屈折率  
νｃ１              ：コンタクトガラスのアッベ数  
νｃ３              ：ＣＣＤカバーガラスのアッベ数  
ｎｄ                ：ｄ線の屈折率  
νｄ                ：ｄ線のアッベ数  
ｎｅ                ：ｅ線の屈折率                。
【００８８】
なお、特に断らない限り、長さの次元を持つ量の単位は「ｍｍ」である。また、屈折率を表す記号「ｎ」は、図１においては大文字の「Ｎ」で表している。
【００８９】
「実施例１」
実施例１は、図２にレンズ構成を示したものである。
【００９０】
ｆ＝67.964  、ＦＮｏ＝4.21  、ｍ＝0.23622  、Ｙ＝152.4  、ω＝23.2°  
実施例１のデータを表１に示す。
【００９１】
【表１】
0005601216.tif 000002
【００９２】
「実施例２」
実施例２は、図４にレンズ構成を示したものである。
【００９３】
ｆ＝68.324  、ＦＮｏ＝4.21  、ｍ＝0.23622  、Ｙ＝152.4  、ω＝23.1°  
実施例２のデータを表２に示す。
【００９４】
【表２】
0005601216.tif 000003
【００９５】
「実施例３」
実施例３は、図６にレンズ構成を示したものである。
【００９６】
ｆ＝67.971  、ＦＮｏ＝4.21  、ｍ＝0.23622  、Ｙ＝152.4  、ω＝23.2°    
実施例３のデータを表３に示す。
【００９７】
【表３】
0005601216.tif 000004
【００９８】
「条件（３）のパラメータの値」
各実施例における条件（３）のパラメータの値を表４に示す。
【００９９】
【表４】
0005601216.tif 000005
【０１００】
図３、図５、図７に順次、実施例１〜３に関する収差図を示す。
【０１０１】
収差図において、「Ｅ」はｅ線（５４６．０７ｎｍ）、「Ｇ」はｇ線（４３６．８３ｎｍ）、「Ｃ」はｃ線（６５６．２７ｎｍ）、「Ｆ」はＦ線（４８６．１３ｎｍ）を示す。また、球面収差の図において、波線は正弦条件を示し、非点収差の図において、実線はサジタル光線、点線はメリディオナル光線を示す。
【０１０２】
実施例１〜３とも各収差は良好に補正され、性能良好であり、半画角：２３°程度と広画角で、Ｆナンバが４．２程度と明るく、また開口効率が周辺部まで１００％に近く、高空間周波数領域で高いコントラストを有し、フルカラー読取にも対応可能である。
【０１０３】
また、全てのレンズが「化学的に安定で鉛や砒素等の有害物質を含まない光学ガラス」で構成され、材料のリサイクル化が可能で、加工時の廃液による水質汚染の無い地球環境を考慮した、小型で低コストな５群７枚構成の「球面のみによる読取レンズ」となっている。
【０１０４】
条件（１）、（２）に関する数値は、各実施例のデータを示す表中に与えてある。  
即ち、上記「ＳＰＨＭ５２」、「ＳＦＰＬ５１」のｄ線に対する屈折率およびアッベ数は、表中に示されたように条件（１）、（２）を満足している。
【０１０５】
付言すると、各実施例では、第２、第５レンズに条件（１）、（２）、（４）を満足するガラス材料（ＯＨＡＲＡのＳＰＨＭ５２やＳＦＰＬ５１）を用いている。  
「＋２０℃〜＋４０℃での平均屈折率温度係数：β１」は、  
「ＳＰＨＭ５２」においてβ１＝−３．５、  
「ＳＦＰＬ５１」においてβ１＝−６．１  
であり、条件（４）を満足する。  
第２レンズに、このようなガラス材料を用いることにより、温度変化で熱膨張し移動する撮像面に対して、それをキャンセルする方向に像距離を大きく伸ばすことができ、温度変化による「像と撮像面の乖離」を有効に軽減できる。
【０１０６】
上記以外のレンズのガラス材料は、何れも「温度上昇と共に屈折率が微増する通常のガラス材料」である。
【０１０７】
読取レンズの「設計の基準温度」は何れも２０℃であり、このとき読取レンズの最も像側の面（第７レンズの像側面）とラインセンサ受光面との「距離」は、実施例１〜３の各々に対し以下の通りである。  
実施例１  ４５．６ｍｍ    
実施例２  ４４．６ｍｍ    
実施例３  ４３．７ｍｍ    。
【０１０８】
「読取レンズとラインセンサを保持するホルダ」はアルミニウムにより形成した。
【０１０９】
画像読取装置内の温度が２０℃から４０℃に上昇するときの上記「距離」の「伸び量」は、ホルダの材料アルミニウムの２０℃における線膨張係数が「２３．１×１０−６」なので、各実施例について以下の如くになる。
【０１１０】
実施例１  ２１．１μｍ    
実施例２  ２０．６μｍ    
実施例３  ２０．２μｍ                              。
【０１１１】
一方、画像読取装置内の温度が２０℃から４０℃に上昇するとき、結像面のラインセンサ側への「変位量」は、各実施例について以下の如くになる。
【０１１２】
実施例１  １８．２μｍ    
実施例２  ２２．４μｍ    
実施例３  １５．８μｍ                          。
【０１１３】
従って、画像読取装置内の温度が２０℃から４０℃に上昇するとき、ラインセンサの撮像面と結像面との乖離量は、各実施例について以下の如くになり、極めて小さい。
【０１１４】
実施例１  ２．９μｍ    
実施例２  １．８μｍ    
実施例３  ４．４μｍ                        。
【符号の説明】
【０１１５】
Ｌ１      第１レンズ  
Ｌ２      第２レンズ  
Ｌ３      第３レンズ  
Ｌ４      第４レンズ  
Ｌ５      第５レンズ  
Ｌ６      第６レンズ  
Ｌ７      第７レンズ  
【先行技術文献】
【特許文献】
【０１１６】
【特許文献１】特開平１０−３３３０２８号公報
【図１】
0005601216.tif 000006
【図２】
0005601216.tif 000007
【図３】
0005601216.tif 000008
【図４】
0005601216.tif 000009
【図５】
0005601216.tif 000010
【図６】
0005601216.tif 000011
【図７】
0005601216.tif 000012
【図８】
0005601216.tif 000013
【図９】
0005601216.tif 000014